(57)【要約】  【課題】照明器具において、透光性ガラス２に穴をあけることなくまたなるべく配光の妨げにならないように透光性ガラス３と固定金具３，４を固定する。  【解決手段】透光性ガラス２に穴をあけることなくヒンジ３やクランプ４などのような固定金具３、４を透光性ガラス２に接着剤８を用いて接着する。そうすることによって、固定金具３、４をパッキン１ｃよりも外側で固定することができるため、固定金具が配光に影響を与える事が無く、器具効率が良好に保たれる。  【選択図】  図２
2006012423.tif 000002
【特許請求の範囲】
【請求項１】
光源と；
光源を収納し、開口部を有する器具本体と；
開口部に配設され透光性ガラスと；
器具本体と透光性ガラスを連結し、少なくとも透光性ガラスと接着して固定されている固定金具と；
を具備したことを特徴とする照明器具。
【発明の詳細な説明】
【技術分野】
【０００１】
本発明は投光開口部を透光性ガラスで密閉した照明器具に関する。
【背景技術】
【０００２】
従来から、照明器具に配設されているカバーは、耐熱性、機密性などの特性を有したガラス材料が用いられることが多く、透光性ガラスと器具本体を固定する場合、特許文献１に開示されているように、透光性ガラスをカバー枠と接着しこのカバー枠をヒンジやラッチを用いて器具本体に固定している。
【０００３】
また、特許文献２の照明器具は、透光性ガラスが灯体の前面開口をパッキングと協働して液密に覆い外部に対して液密な器具空間を形成しているものである。また、透光性ガラスは、平坦な透明ガラスから構成され、ヒンジによって透光性ガラスの上縁を灯体の前面開口の上部近傍に枢着し、クランプによって透光性ガラスの下縁を灯体の前面開口の下部近傍に開閉自在に固定している。このように、透光性ガラスは、灯体に対して前面開口の上部を中心に回動して、前面開口を覆うように構成されている。
【特許文献１】特開平１０−１４４１１４号公報
【特許文献２】特開平１１−２１３７１６号公報
【発明の開示】
【発明が解決しようとする課題】
【０００４】
しかしながら、特許文献１のように、カバー枠を用いて透光性ガラスを固定する方法では、カバー枠部品点数が多く、また照明器具を軽量・安価にすることができない。
【０００５】
また、特許文献２のように透明ガラスにヒンジやクランプなどの金具を取り付けようとした場合、従来の技術では、ガラスに貫通穴をあけネジなどを通してヒンジやクランプなどの金具とガラスとを固定していた。
【０００６】
このようにガラスに穴をあけてしまうことは、ガラスの強度低下を引き起こす虞がある。また、穴をあけてもガラスの強度の変化が極力少なくなるように穴のあける位置はガラスの端部ではなく、ガラス端部より内側に穴をあける必要があった。このため、ヒンジやクランプの取付けがガラスの内部まで大きく張り出してしまって、ヒンジやクランプの影が生じてしまい器具としての効率低下を招く虞があった。
【０００７】
また、ガラスと器具本体との気密性を保つためガラスと器具本体との間であってガラスの周縁部にパッキンを配置しているものが多くある。このようなものは、ヒンジやクランプを固定するためのネジ穴をパッキンが介在しているガラスの周縁部よりも内側にあける必要があり、そうするとますますヒンジやクランプがガラスの内側に張り出してしまうため影も大きくなり、器具効率の低下を招く虞がある。
【０００８】
このため、本発明は、ガラスに穴をあけることなく、ヒンジやクランプのような取付金具をガラスに接着して固定し、ヒンジやクランプが配光の妨げになることを抑制することのできる照明装置を提供することを目的とする。
【課題を解決するための手段】
【０００９】
請求項１の発明の照明器具は、光源と；光源を収納し、開口部を有する器具本体と；開口部に配設され透光性ガラスと；器具本体と透光性ガラスを連結し、少なくとも透光性ガラスと接着して固定されている固定金具と；を具備している。
【００１０】
本発明および以下の各発明において、特に指定しない限り、用語の定義および技術的な意味は次による。
【００１１】
器具本体は、開口部を有していればよく、例えば、鋼板を溶接することにより製作され、表面に塗装が施された偏平形状に形成してもよいし、無塗装のステンレス鋼板をプレス加工したものでもよい。
【００１２】
光源は、所望により、既知の各種光源ランプから任意に選択して用いることができる。たとえば、放電ランプおよび白熱電球などを用いることができる。
放電ランプとしては、低圧放電ランプおよび高圧放電ランプなどを用いることができる。低圧放電ランプとしては、蛍光ランプおよび低圧ナトリウムランプなどを用いることができる。高圧放電ランプとしては、高圧ナトリウムランプ、メタルハライドランプ、セラミックメタルハライドランプ、無電極放電ランプおよび水銀ランプなどを用いることができる。白熱電球としては、一般照明用電球、ハロゲン電球およびクリプトン電球などを用いることができる。さらに、光源ランプは、器具本体および透光性ガラスのいずれの側に装着してもよい。
【００１３】
光源は、器具本体内に収納され、要すれば光源ランプの光を効果的に反射する反射体を器具本体内に備えることも許容する。
【００１４】
透光性ガラスは、強化ガラスや耐熱ガラスによって形成される。また、透光性ガラスは外面および内面のいずれか一方または両方に、光制御用の手段たとえばプリズム、レンズまたは光拡散用の多数の凸部または凹部などを形成してもよい。また、透光性ガラスの外表面に光触媒機能を有する酸化チタンなどの薄膜や反射防止膜などを塗布することもできる。また、透光性ガラスは、器具本体との間に器具空間を形成するのであれば、どのような形状であってもよい。たとえば、器具本体の前面開口を閉鎖する平板状であってもよいし、器具本体の前面開口から前方へ膨出するような形状であってもよい。
【００１５】
固定金具とは、器具本体の開口部に透光性ガラスを取付けるヒンジやクランプのようなものを許容する。この固定金具は、アルミ、ステンレス、チタンなどの金属および合金にて製作されることが、防腐色性、耐候性の点から望ましい。
【００１６】
透光性ガラスと固定金具を接着する方法としては、接着剤にて接着する方法および両面接着テープによって接着する方法を許容する。接着剤は、アクリル樹脂やエポキシ樹脂にシリコーンなどを添加したものを加熱により固着させるものや主成分がアクリルで、エポキシ樹脂を添加した２液型のものが知られている。さらに、エポキシ樹脂やアクリル樹脂をテープ状に加工した接着テープを高周波加熱によって固着させるものも許容する。特にアクリル樹脂にシリコーンなどを添加したものが強度がよいため採用される。
【発明の効果】
【００１７】
本発明によれば、透光性ガラスを器具本体の開口部に取り付ける固定金具を透光性ガラスに直接接着するため、従来のように透光性ガラスに固定金具を固定するためのネジを通す穴をあける必要が無いため、透光性ガラスの強度が低下することを抑制できる。また、固定金具が透光性ガラスに固定される部分が最小限でよいので、器具の効率を低下させることのない照明器具を提供することができる。
【発明を実施するための最良の形態】
【００１８】
本発明の第一の実施形態であるトンネル用照明器具を図１ないし３を参照して説明する。図１は、本発明の第一の実施形態であるトンネル用照明器具の正面図、図２は同じく断面図、図３は同じく斜視図を表している。なお、これらの図中、同一または相当部分には同一符号を付して、重複した説明の記載は省略または簡略化している。
【００１９】
各図において、１は器具本体、２は透光性ガラス、３はヒンジ、４はクランプ、５は光源ランプ、６は反射体、７は点灯制御部品である。
器具本体１は、アルミニウムの浅い箱状をなし、前面開口１ａおよび取付部１ｂを備えている。前面開口１ａは、その周囲にパッキン１ｃを収容する迫り出し段部を形成している。取付部１ｂは、器具本体１の背面から上下に延在し、取付部１ｂにて照明器具はトンネルの側壁に固定される。透光性ガラス２は、器具本体１の前面開口１ａをパッキン１ｃと協働して液密に覆うもので、器具本体１および透光性ガラス２により、外部に対して液密な器具空間が形成される。しかし、器具空間内に結露した水を排出する水抜き孔１ｄを器具本体１の適所に形成することができる。また、本実施形態における透光性ガラス２は、平坦な透明ガラスから構成されている。
【００２０】
光源ランプ５は、定格消費電力１１０Ｗの高圧ナトリウムランプからなり、透光性ガラス２の背方において、すなわち器具空間内において、器具本体１の前面から見て右側の内側壁に固定されたランプソケット９に装着されて、器具本体１の右側に偏位して配置されている。反射体６は、透光性ガラス２の背方において、すなわち器具空間内において、光源ランプ５がほぼ焦点位置になるように器具本体１内に配置され、器具開口１ａにあわせて開口している。また、光源ランプ５を安定に点灯させる安定器７が器具本体１内部の反射体６の背面に配置される。
【００２１】
ヒンジ３は、透光性ガラス２の上縁を器具本体１の前面開口１ａの上部近傍に接着され、クランプ４は、透光性ガラス２の下縁を器具本体１の前面開口１ａの下部近傍に開閉自在に接着固定している。したがって、透光性ガラス２は、器具本体１に対して前面開口１ａの上部を中心に回動して、前面開口１ａを覆う。ヒンジ３およびクランプ４と透光性ガラス２との接着は、エポキシ樹脂製の接着剤８を使用して180℃の高周波加熱で1分間加熱して硬化させて固着させている。
【００２２】
このような接着剤８は、テープ状に形成されたものを透光性ガラス２とヒンジ３やクランプ４に仮固定させ高周波加熱によって硬化させて固定している。
【００２３】
従来のように穴をあけて固定金具３、４を固定するときには、透光性ガラス２にあける穴をパッキン１ｃよりも内側にあけなければ、器具内部の機密を確保する事ができないため、固定金具３、４はパッキン１ｃの位置よりも内側に張り出すことになっていた。これに対して本実施形態のように構成した照明器具によれば、透光性ガラス２に穴をあけることなくヒンジ３やクランプ４などのような固定金具３、４を透光性ガラス２に接着することができるので、固定金具３、４をパッキン１ｃよりも外側で固定することができるため、固定金具が配光に影響を与える事が無く、器具効率が良好に保たれる。すなわち図２に示すようにヒンジ３およびクランプ４の先端は反射体６の投光開口縁部に対向する位置まで達していないかわずかに達する程度となっている。
【００２４】
次に、本発明の第二の実施形態である照明器具について、図を参照して説明する。図４は本実施形態に係る照明器具１０を下から見た斜視図である。本実施形態の照明器具は体育館や倉庫などに使用される高天井用の照明器具の例である。
【００２５】
照明器具本体１１は、内面に反射面を形成しており内部にランプソケット（図示しない）を備え、このランプソケットには放電灯５０が装着されている。また、照明器具１０が設置される天井面には点灯装置配置している。
【００２６】
器具本体１１の開口側には透光性ガラス２０がヒンジ３およびクランプ４によって固定されている。これらの固定金具３，４は実施形態１と同様に透光性ガラス２と固定金具の固定には接着剤を塗布して硬化させて固着させている。本実施形態も第１の実施形態と同様の作用を有する照明器具を提供することができる。
【図面の簡単な説明】
【００２７】
【図１】本発明の第１の実施形態のトンネル用照明器具の正面図。
【図２】同じく断面図。
【図３】同じく斜視図。
【図４】発明の第二の実施形態の照明器具を下から見た斜視図。
【符号の説明】
【００２８】
１…器具本体、  ２…透光性ガラス  ３…ヒンジ  ４…クランプ  ５・・・光源ランプ  ６・・反射体  ８・・・接着剤
【図１】
2006012423.tif 000003
【図２】
2006012423.tif 000004
【図３】
2006012423.tif 000005
【図４】
2006012423.tif 000006